(57)【要約】
【課題】  従来の鮭釣り用仕掛けは、発泡管にルミシートを巻いたものが多く提供されている。しかし、発泡管が太いため浮力が大きく釣り針が上を向く、発泡管が堅いため一度は食うが、すぐ離してしまう、魚が食い付いた力により発泡管に巻いたルミシートが破れるなどの問題点がある。
【解決手段】  鮭釣り用仕掛けにおいて、タコベイトと隣接する状態で所定長さの軟質の夜光ゴム管７を連設し、夜光ゴム管７の上面中央に夜光ゴム管７の長手方向をもって反射する羽根８が突設されている。
【選択図】  図１
0003100909.tif 000002
【実用新案登録請求の範囲】
【請求項１】
鮭釣り用仕掛けにおいて、タコベイトに浮玉を介して隣接する状態で所定長さの軟質の夜光ゴム管（７）を連設し、夜光ゴム管（７）の上面中央に当該夜光ゴム管（７）の長手方向をもって反射する羽根（８）を突設させたことを特徴とする鮭釣り用仕掛け。
【請求項２】
所定長さのテグス（２）と、テグス（２）の左端に取付けられた釣り針（３）と、テグス（２）の右端に取付けられたクロスビーズ（４）と、テグス（２）の左端部分に釣り針（３）の先端（３Ａ）が露出する状態で取付けられたタコベイト（５）と、テグス（２）にタコベイト（５）と隣接状態で取付けられた左方側浮玉（６）と、テグス（２）に左方側浮玉（６）と隣接状態で取付けられた所定長さに構成された軟質の夜光ゴム管（７）と、夜光ゴム管（７）の上面中央に当該夜光ゴム管（７）の長手方向をもって突設された反射する羽根（８）と、テグス（２）に夜光ゴム管（７）と隣接状態で取付けられた右方側浮玉（９）から構成されていることを特徴とする鮭釣り用仕掛け。
【請求項３】
請求項１あるいは請求項２記載の鮭釣り用仕掛けにおいて、鮭釣り用仕掛け（１）における反射する羽根（８）は、正面左右に長い台形状あるいは正面左右に長い三角形状に構成されていることを特徴とする鮭釣り用仕掛け。
【請求項４】
請求項１ないし請求項３のいずれかに記載の鮭釣り用仕掛けにおいて、夜光ゴム管（７）は、夜光ゴム管体（７Ａ）の外周を透明ビニール（７Ｂ）で覆い、この透明ビニールの両端（７Ｂ１、７Ｂ１）を当該夜光ゴム管体（７Ａ）の上面中央で接合すると共に、反射する羽根（８）は、接合された透明ビニールの両端の外周面に二つ折りにした反射するシート（８Ａ）を上から被せ接着構成されていることを特徴とする鮭釣り用仕掛け。
【請求項５】
請求項１ないし請求項４のいずれかに記載の鮭釣り用仕掛けにおいて、夜光ゴム管（７）の寸法は、外径（イ）が約６ｍｍ、左右の長さ（ロ）が約６０ｍｍで、反射する羽根（８）の寸法は、下辺の左右の長さ（ハ）が約６０ｍｍ、高さ（ニ）が約１０ｍｍ、上辺の左右の長さ（ホ）が約４５ｍｍであること特徴とする鮭釣り用仕掛け。
【考案の詳細な説明】
【技術分野】
【０００１】
本考案は、新規な構成を有する鮭釣り用仕掛けに関するものである。
【背景技術】
【０００２】
従来の鮭釣り用仕掛けは下記のように構成されている。
今まで市販されている鮭釣り用仕掛けは、発泡管にルミシートを巻いたものが多く提供されている。
【０００３】
【非特許文献１】近江卓  成澤哲夫編著者  「釣り魚図典」小学館  １９９８年９月１０日初版第２刷発行  Ｐ２３
【考案の開示】
【考案が解決しようとする課題】
【０００４】
従来の鮭釣り用仕掛けには下記のような問題点がある。
１．発泡管が太いため浮力が大きく、釣り針が上を向く（水平にならない）。
２．発泡管が堅いため一度は食うが、すぐ離してしまう。
３．魚が食い付いた力により発泡管に巻いたルミシートが破れる。
【課題を解決するための手段】
【０００５】
請求項１記載の考案は、鮭釣り用仕掛けにおいて、タコベイトに浮玉を介して隣接する状態で所定長さの軟質の夜光ゴム管７を連設し、夜光ゴム管７の上面中央に当該夜光ゴム管７の長手方向をもって反射する羽根８を突設させたことを特徴とするものである。
【０００６】
請求項２記載の考案は、所定長さのテグス２と、テグス２の左端に取付けられた釣り針３と、テグス２の右端に取付けられたクロスビーズ４と、テグス２の左端部分に釣り針３の先端３Ａが露出する状態で取付けられたタコベイト５と、テグス２にタコベイト５と隣接状態で取付けられた左方側浮玉６と、テグス２に左方側浮玉６と隣接状態で取付けられた所定長さに構成された軟質の夜光ゴム管７と、夜光ゴム管７の上面中央に当該夜光ゴム管７の長手方向をもって突設された反射する羽根８と、テグス２に夜光ゴム管７と隣接状態で取付けられた右方側浮玉９から構成されていることを特徴とするものである。
【０００７】
請求項３記載の考案は、請求項１あるいは請求項２記載の考案において、鮭釣り用仕掛け１における反射する羽根８は、正面左右に長い台形状あるいは正面左右に長い三角形状に構成されていることを特徴とするものである。
【０００８】
請求項４記載の考案は、請求項１ないし請求項３のいずれかに記載の考案において、夜光ゴム管７は、夜光ゴム管体７Ａの外周を透明なビニール７Ｂで覆い、この透明ビニールの両端７Ｂ１、７Ｂ１を当該夜光ゴム管体７Ａの上面中央で接合すると共に、反射する羽根８は、接合された透明ビニールの両端の外周面に二つ折りにした反射するシート８Ａを上から被せ接着構成されていることを特徴とするものである。
【０００９】
請求項５記載の考案は、請求項１ないし請求項４のいずれかに記載の考案において、夜光ゴム管７の寸法は、外径イが約６ｍｍ、左右の長さロが約６０ｍｍで、反射する羽根８の寸法は、下辺の左右の長さハが約６０ｍｍ、高さニが約１０ｍｍ、上辺の左右の長さホが約４５ｍｍであることを特徴とするものである。
【考案の効果】
【００１０】
１．夜光ゴム管を使用しているため、深海においても夜光するので集魚力に優れている。
２．夜光ゴム管は軟質のものであるため、一度食いついたら離さない。
３．従来の発泡管を使用したもののように破れたり、割れたりしない。
４．上部に羽根を付けているため、水中で小魚のように動くので食いが良い。
５．浮力を有する２個の浮玉により、常に潮流により針は水平を保つことができる。
この場合、潮流がなければ針は下方に若干垂れる。
【考案を実施するための最良の形態】
【００１１】
１は本考案の鮭釣り用仕掛けである。
所定長さのテグス２と、テグス２の左端に取付けられた釣り針３と、テグス２の右端に取付けられたクロスビーズ４と、テグス２の左端部分に釣り針３の先端３Ａが露出する状態で取付けられたタコベイト５と、テグス２にタコベイト５と隣接状態で取付けられた左方側浮玉６と、テグス２に左方側浮玉６と隣接状態で取付けられた所定長さに構成された軟質の夜光ゴム管７と、夜光ゴム管７の上面中央に当該夜光ゴム管７の長手方向をもって突設された反射する羽根８と、テグス２に夜光ゴム管７と隣接状態で取付けられた右方側浮玉９から構成されている。
図中、１０は道糸、１１はより戻し、１２はオモリである。
なお、夜光ゴム管や羽根については浮力は全くない。
【実施例１】
【００１２】
鮭釣り用仕掛け１における反射する羽根８は、図２のごとく正面左右に長い台形状に構成したり、図５のごとく正面左右に長い三角形状に構成することもできる。
【実施例２】
【００１３】
鮭釣り用仕掛け１における夜光ゴム管７と、反射する羽根８を下記のように構成することができる。
Ａ．夜光ゴム管７は、夜光ゴム管体７Ａの外周を透明ビニール７Ｂで覆い、この透明ビニールの両端７Ｂ１、７Ｂ１を当該夜光ゴム管体７Ａの上面中央で接合する。
透明ビニール７Ｂとしては、農業用補修テープ（サクビテープ）が好適である。
Ｂ．反射する羽根８は、接合された透明ビニールの両端の外周面に二つ折りにした反射するシート８Ａを上から被せ接着する。
【実施例３】
【００１４】
鮭釣り用仕掛け１における夜光ゴム管７の寸法と、反射する羽根８の寸法を下記のように構成すると好適であった。
Ａ．夜光ゴム管７の寸法は、外径イが約６ｍｍ、左右の長さロが約６０ｍｍ。
Ｂ．反射する羽根８の寸法は、下辺の左右の長さハが約６０ｍｍ、高さニが約１０ｍｍ、上辺の左右の長さホが約４５ｍｍ。
【図面の簡単な説明】
【００１５】
【図１】使用状態を説明する正面図である。
【図２】同上の要部拡大図である。
【図３】Ａ−Ａ線拡大断面図である。
【図４】他の実施例を説明する拡大断面図である。
【図５】反射する羽根の他の実施例を説明する正面図である。
【符号の説明】
【００１６】
１  鮭釣り用仕掛け
２  テグス
３  釣り針
４  クロスビーズ
５  タコベイト
６  左方側浮玉
７  夜光ゴム管
８  反射する羽根
９  右方側浮玉
【図１】
0003100909.tif 000003
【図２】
0003100909.tif 000004
【図３】
0003100909.tif 000005
【図４】
0003100909.tif 000006
【図５】
0003100909.tif 000007